(57)【要約】      （修正有）【課題】コンパクトでありながら、収納物の閲覧性に優れた小物入れを提供する。【解決手段】小物入れは、第１の収納空間１３を形成するように、底面１１１、底面の前縁から立ち上がる前面１１２、並びに、底面及び前面の側縁同士を繋ぐ一対の側面を有する第１の収納部１１と、第２の収納空間１４を形成するように、底面に対向する上面１２１、前面に対向する後面並びに上面及び後面の側縁同士を繋ぐ一対の側面を有し、後面の下縁において第１の収納部と回動自在に連結されて、第１の収納空間を覆う閉じた位置と、後面が底面と略平行になるまで回動した開いた位置と、を取る第２の収納部１２と、を具備する。【選択図】図２
0003223778.tif 000002
【実用新案登録請求の範囲】
【請求項１】
第１の収納空間を形成するように、底面、前記底面の前縁から立ち上がる前面、並びに、前記底面及び前記前面の側縁同士を繋ぐ一対の側面を有する第１の収納部と、
第２の収納空間を形成するように、前記底面に対向する上面、前記前面に対向する後面並びに前記上面及び前記後面の側縁同士を繋ぐ一対の側面を有する第２の収納部と、
を具備し、
前記第１の収納部及び前記第２の収納部が、略対称の形状を有しており、
前記第２の収納部が、前記後面の下縁において前記第１の収納部と回動自在に連結されて、前記第１の収納空間を覆う閉じた位置と、前記後面が前記底面と略平行になるまで回動して開いた位置と、を取ること、
を特徴とする小物入れ。
【請求項２】
前記第１の収納部及び前記第２の収納部の各内面に取り付けられて、前記第２の収納部が前記開いた位置を取るときに、収納物が前記第１の収納部及び前記第２の収納部の側面側から外れることを抑制する一対の規制部
を更に具備することを特徴とする請求項１に記載の小物入れ。
【請求項３】
前記一対の規制部に亘って設けられ、前記第１の収納空間及び前記第２の収納空間を区切る仕切り部と、
前記仕切り部に設けられた開閉自在な収納袋と、
を更に具備することを特徴とする請求項２に記載の小物入れ。
【考案の詳細な説明】
【技術分野】
【０００１】
本考案は、化粧品、化粧用具、文房具類、携帯端末の付属品などの小物を収納するための小物入れに関する。
【背景技術】
【０００２】
例えば、小物を収納する本体と、本体の開口部を開閉する蓋体と、を備えた小物入れが知られている（例えば特許文献１）。
【先行技術文献】
【特許文献】
【０００３】
【特許文献１】実用新案登録第３１２３３３７号公報
【考案の概要】
【考案が解決しようとする課題】
【０００４】
しかし、上記の小物入れでは、収納物は本体内にだけ収容されているため、ユーザが蓋体を開いたとき、ユーザからは視認しにくい収納物がある。
【０００５】
そこで、本考案は、コンパクトでありながら、収納物の閲覧性に優れた小物入れの提供を目的とする。
【課題を解決するための手段】
【０００６】
上述した課題を解決すべく、本考案は、
第１の収納空間を形成するように、底面、前記底面の前縁から立ち上がる前面、並びに、前記底面及び前記前面の側縁同士を繋ぐ一対の側面を有する第１の収納部と、
第２の収納空間を形成するように、前記底面に対向する上面、前記前面に対向する後面並びに前記上面及び前記後面の側縁同士を繋ぐ一対の側面を有する第２の収納部と、
を具備し、
前記第１の収納部及び前記第２の収納部が、略対称の形状を有しており、
前記第２の収納部が、前記後面の下縁において前記第１の収納部と回動自在に連結されて、前記第１の収納空間を覆う閉じた位置と、前記後面が前記底面と略平行になるまで回動して開いた位置と、を取ること、
を特徴とする小物入れを提供する。
【０００７】
上記のような構成を有する本考案の小物入れは、前記第１の収納部及び前記第２の収納部の各内面に取り付けられて、前記第２の収納部が前記開いた位置を取るときに、収納物が前記第１の収納部及び前記第２の収納部の側面側から外れることを抑制する一対の規制部を更に具備すること、が好ましい。
【０００８】
また、上記のような構成を有する本考案の小物入れは、前記一対の規制部に亘って設けられ、前記第１の収納空間及び前記第２の収納空間を区切る仕切り部を更に具備すること、が好ましい。
【０００９】
更に、上記のような構成を有する本考案の小物入れでは、仕切り部が、開閉自在な収納袋を含むこと、が好ましい。
【考案の効果】
【００１０】
本考案の小物入れを用いることにより、コンパクトでありながら、収納物の閲覧性に優れた小物入れを提供することができる。
【図面の簡単な説明】
【００１１】
【図１】閉じた状態の小物入れ１を示す斜視図である。
【図２】開いた状態の小物入れ１を示す斜視図である。
【図３】閉じた状態から開いた状態への変化の様子を示す小物入れ１の側面図である。
【考案を実施するための形態】
【００１２】
以下、本考案の代表的な実施形態に係る小物入れについて、図面を参照しつつ詳細に説明する。ただし、本考案は、以下の実施形態に限られない。図面は、本考案を概念的に説明するためのものであるから、理解容易のために、必要に応じて寸法、比又は数を誇張又は簡略化して表している場合もある。
【００１３】
小物入れ１は、化粧品、化粧用具、文房具類、携帯端末の付属品などの小物を収納するためのバッグないしポーチであり、図１に示すように、全体として略箱状ないし略直方体状である。小物入れ１は、図１及び２に示すように、本体１０、ファスナ３０、規制部５１，５２及び仕切り部７１を含む。
【００１４】
本体１０は、略直方体状を呈し、一対の収納部１１，１２（第１及び第２の収納部）を含む。収納部１１，１２は、略三角柱形状を呈し、内部に収納空間１３，１４を形成する部材であり、閉じた状態では、内部の収納空間１３，１４が互いに向かい合うように配置されている。
【００１５】
具体的には、収納部１１は、略長方形状の底面１１１、底面１１１の前縁から立ち上がる略長方形状（底面１１１と略同一形状）の前面１１２、並びに、底面１１１及び前面１１２の側縁同士を繋ぐ一対の略直角二等辺三角形状の側面１１３，１１４を有し、これら面によって略三角柱形状の収納空間１３が形成されている。また、収納部１１の開口端は縁部１１Ａを形成している。
【００１６】
収納部１２は、底面１１１に対向する略長方形状（底面１１１と略同一形状）の上面１２１、前面１１２に対向する略長方形状（上面１２１と略同一形状）の後面１２２、並びに、上面１２１及び後面１２２の側縁同士を繋ぐ一対の略直角二等辺三角形状（側面１１３，１１４と略同一形状）の側面１２３，１２４を有し、これら面によって略三角柱形状の収納空間１４が形成されている。また、収納部１２の開口端は縁部１２Ａを形成している。
【００１７】
収納部１１，１２は、縁部１１Ａ，１２Ａのうち後面１２２の下縁（又は底面１１１の後縁）、つまり連結部１５において、互いに回動自在に連結されている。縁部１１Ａ，１２Ａの残りの部分には、収納部１１，１２を着脱自在に開閉するファスナ３０が取り付けられている。
【００１８】
したがって、本体１０は、図２のように、残りの縁部１１Ａ，１２Ａ（ファスナエレメント３１，３２）同士が離れた位置にある開いた状態と、図１のように、残りの縁部１１Ａ，１２Ａ同士が接触する位置にある閉じた状態と、を取ることができる。あるいは、収納部１２は、収納部１１の収納空間１３を覆う閉じた位置と、後面１２２が底面１１１と略平行になるまで回動した開いた位置と、を取ると言ってもよい（図３参照）。
【００１９】
収納部１１，１２は、略対称の形状でかつ略同一の立体的形状を有する。より具体的には、収納部１１，１２は、閉じた状態においては、縁部１１Ａ，１２Ａを含む平面（あるいは、ファスナ３０を含む面）に対して略対称である。また、収納部１１，１２は、開いた状態においては、前面１１２及び上面１２１に略平行な面に対して対称である。
【００２０】
収納部１１，１２は、例えば、ポリエステルなどの樹脂からなる柔軟な生地で作製されてもよい。この場合、例えば、収納部１１，１２を構成する生地の間に図示しない芯材を挟み込むことにより、収納部１１，１２の形態を保持することができる。また、収納部１１，１２の外側面の生地が撥水性を備えていると、汚れが付きにくく、また、洗面所などの水場でも安心して小物入れ１を使用できる。
【００２１】
ファスナ３０は、本体１０を閉じた状態に保持する留め具である。本実施形態では、ファスナ３０としてスライドファスナを想定しているが、これに限られない。スライドファスナであるファスナ３０は、縁部１１Ａ，１２Ａに沿って設けられたエレメント３１，３２と、エレメント３１，３２を着脱自在に噛み合わせるスライダ３３，３４と、を含む。
【００２２】
規制部５１，５２は、開いた状態の本体１０の側面側から収納物が外れることを抑制する部材であり、例えば柔軟な生地からなる。規制部５１，５２は、収納部１１，１２の開き具合を制限する機能を兼ね備えていてもよい。
【００２３】
規制部５１，５２は、収納部１１，１２の内面に取り付けられる。例えば、規制部５１，５２は、収納部１１の側面１１３，１１４と収納部１２の側面１２３，１２４の間に亘って取り付けられる。規制部５１，５２の高さは適宜設定されてよいが、例えば、本体１０が開いた状態において、本体１０の高さの半分以上であることが好ましい。また、収納部１１，１２の開き過ぎを規制する観点からは、側面から見たときの規制部５１，５２の幅（長さ）は、開いた状態の本体の幅よりも短いことが好ましい（図３参照）。
【００２４】
図２に示すように、仕切り部７１は、規制部５１，５２に亘って設けられ、収納空間１３，１４を区分けする。使い勝手の観点からは、仕切り部７１は、本体１０が開いた状態にある場合に、側面から見たときに規制部５１，５２の幅方向の略中央に配置されていることが好ましい（図３参照）。
【００２５】
仕切り部７１は、例えば薄い物を収納するように、ファスナによって開閉自在な収納袋７２を含んでいてもよい。収納袋７２は、内容物を外部から視認できるように、メッシュ構造の袋でもよい。
【００２６】
本実施形態によれば、小物入れ１は、小物をコンパクトに収納することができるので、持ち運びに便利である。また、小物入れ１は、略９０度開くので（図３参照）、開いた状態の小物入れ１をトレーとして使用することができる。つまり、小物入れ１は、開いた状態において、外部から収納物を容易に視認できるとともに、物の出し入れを容易に行うことができる。
【００２７】
また、仕切り部７１には、ピンなどの細かい物を入れることができるから、比較的大きな物と分けて収納することができる。つまり、収納の利便性が増す。加えて、略同一の立体的形状の２つの収納部が対称に開閉するため、コンパクトでかわいい印象を与える。
【００２８】
以上、本考案の代表的な実施形態について説明したが、本考案はこれに限定されるものではなく、種々の設計変更が可能であり、それらも本考案に含まれる。
【符号の説明】
【００２９】
１・・・小物入れ、
１０・・・本体、
１１，１２・・・収納部、
１３，１４・・・収納空間、
３０・・・ファスナ、
５１，５２・・・規制部、
７１・・・仕切り部。
【図１】
0003223778.tif 000003
【図２】
0003223778.tif 000004
【図３】
0003223778.tif 000005